(57)【要約】【課題】  カラーページと白黒ページが混載した原稿をコピーもしくはプリントする場合に、容易に白黒ページをユーザが指定した安価な普通紙や再生紙に印刷することを可能とする。【解決手段】  複数の給紙カセットにセットされた用紙のサイズ及び種類を自動的に認識し、印刷するページがカラーであるか白黒であるかを判別し、複数の給紙カセットにセットされた用紙種別の状態と、印刷するページのカラー状態とに応じて印刷する用紙がセットされている給紙カセットを変更する構成を特徴とする。【選択図】図１
2006110942.tif 000002
【特許請求の範囲】
【請求項１】
複数の給紙カセットにセットされた用紙のサイズ及び種類を自動的に認識する用紙種別自動認識手段と、
印刷するページがカラーであるか白黒であるかを判別するカラー状態判別手段と、
複数の給紙カセットにセットされた用紙種別の状態と、印刷するページのカラー状態とに応じて印刷する用紙がセットされている給紙カセットを変更する給紙変更手段と、
を有することを特徴とする印刷装置。
【請求項２】
前記用紙種別自動認識手段は、用紙に内蔵された読み出し可能な記憶手段と、印刷装置内の読み出し手段とが通信を行うことによって前記記憶内容を読み出しことを特徴とする請求項１記載の印刷装置。
【請求項３】
前記読み出し可能な記憶手段は無線タグ（ＲＦ−ＩＤチップ）、読み出し手段は無線タグリーダー（ＲＦ−ＩＤリーダー）であることを特徴とする請求項２記載の印刷装置。
【請求項４】
前記用紙に内蔵された読み出し可能な記憶手段には、用紙サイズ及び種類を判別することが可能な情報が記憶されていることを特徴とする請求項２及び３記載の印刷装置。
【請求項５】
前記給紙変更手段は、異なる給紙カセットに異なるのタイプの用紙がセットされていた場合に、カラーページと白黒ページの印刷用紙を給紙するカセットを変更することを特徴とする請求項１記載の印刷装置。
【請求項６】
白黒ページを印刷する際は、カラーページを印刷する用紙よりも安価である用紙に変更することを特徴とする請求項５記載の印刷装置。
【発明の詳細な説明】
【技術分野】
【０００１】
本発明は、例えば用紙の種類を検知可能な印刷装置に関するものである。
【背景技術】
【０００２】
従来、複数ページの原稿を複写もしくはプリントする場合、全て同じタイプの用紙（普通紙／再生紙／カラー専用紙など）に印刷されていた。
【０００３】
また、各給紙カセットの用紙タイプ（普通紙／再生紙／カラー専用紙など）の設定は、印刷装置の操作部等から手動で設定する必要があった。
【特許文献１】特開２００１−２３５９７９号公報
【発明の開示】
【発明が解決しようとする課題】
【０００４】
しかしながら上記従来例では、カラーページと白黒ページが混載した原稿をコピーもしくはプリントする場合、全ページが高価なカラー専用紙に印刷されてしまうという課題が存在し得る。
【０００５】
また、各給紙カセットの用紙タイプの設定は、入力に手間がかかるばかりでなく、入力ミスや用紙のタイプが不明な場合の対応、また、用紙のサイズやタイプが明確であっても盲目者などでは入力が非常に困難などの可能性が存在しうる。
【０００６】
本発明は、上記の課題を解決するためになされたもので、本発明の目的は、給紙カセットにセットされた用紙のタイプを自動的に認識し、原稿内の白黒ページをユーザの指定した用紙に印刷することを可能とするものである。
【課題を解決するための手段】
【０００７】
上記目的を達成するため、本出願に係る発明は、用紙に埋め込まれ用紙情報が格納された記憶手段と印刷装置内の読み出し手段とが通信を行うことによって複数の給紙カセットにセットされた用紙のサイズ及び種類を自動的に認識する用紙種別自動認識手段と、印刷するページがカラーであるか白黒であるかを判別するカラー状態判別手段と、異なる給紙カセットに異なるのタイプの用紙がセットされていた場合に、カラーページと白黒ページの印刷用紙を給紙するカセットを変更する給紙変更手段などから構成されることを特徴とする。
【発明の効果】
【０００８】
本発明によれば、例えば、カラーページと白黒ページが混載した原稿をコピーもしくはプリントする場合、印刷装置が各給紙カセットや手差し給紙トレイにセットされた用紙タイプを自動的に認識することで、容易に白黒ページをユーザが指定した安価な普通紙や再生紙に印刷することが可能となる効果を奏する。
【発明を実施するための最良の形態】
【０００９】
［第１実施形態］
以下添付図面を参照して、本発明に係る好適な実施例を詳細に説明する。
【００１０】
図２は、本実施例の形態によって構成したネットワークシステムである。
【００１１】
図中の２００はインターネット通信網である。２０１はウェブサーバであり、インターネット２００上に接続され、インターネットユーザに特定のサービスを提供する。２０２は金融機関と消費者クライアントの間の決済処理などを行う電子マネーサーバである。２０４は個人ユーザの端末とインターネット２００との接続処理を行うサービスプロバイダである。２０３はファイアーウォールであり、これにより下に図示したＬＡＮ２０１１内部と外部通信網（インターネット２００）とを接続し、セキュリティー管理などを行う。２１０はＬＡＮ２０１１で接続された２１１〜２１４、２２０の各機器管理サーバーである。２１１はファイルサーバであり、ＬＡＮで接続された複数のユーザがデータを共有することができる。
【００１２】
２２０はデジタル複写機などの印刷装置であり、主に画像の入出力機能を有する。この印刷装置２２０において、１４０はユーザが各種の操作を行うための操作部、１０は操作部１４０やパソコン２１２、２１３からの指示にしたがって画像を読み取るためのイメージスキャナ、２０はパソコン２１２、２１３やファイルサーバ２１１からのデータを用紙に印刷するプリンタである。
【００１３】
３０はコントローラユニットであり、操作部１４０やパソコン２１２、２１３からの指示に基づいてスキャナ１０、プリンタ２０に対する画像データの入出力の制御を行う。例えば、スキャナ１０が取り込んだ画像データをコントローラ内部のメモリに蓄積したり、パソコン２１２、２１３に出力したり、あるいはプリンタ２０で印刷するなどの制御を行う。２１２、２１３は端末装置として接続されたパソコンである。インターネット２００を介してウェブサーバ２０１から提供された情報を閲覧したり、画像データを印刷装置２２０に出力したりすることができる。
【００１４】
なお、上記構成はインターネットにファイアーウォール２０３を介してＬＡＮ２０１１が接続されている構成となっているが、サービスプロバイダ２０４を介してファイアーウォールが接続される構成でもかまわない。
【００１５】
本形態の印刷装置の外観を図３に示す。
【００１６】
画像入力デバイスであるスキャナ部１０は、原稿画像をランプにより照射し、ＣＣＤラインセンサ（図示せず）で読み取り、電気信号に変換することで画像データとして処理を行なう。原稿用紙を原稿フィーダ１４６にセットし、装置使用者が操作部１４０から読み取り起動指示することにより、フィーダ１４６は原稿用紙を１枚ずつフィードし原稿画像の読み取り動作を行う。
【００１７】
画像出力デバイスであるプリンタ部２０は、画像データを用紙上の画像に変換する部分であり、本特許の明細書では、感光体ドラムや感光体ベルトを用いた電子写真方式により説明を行なうが、微少ノズルアレイからインクを吐出して用紙上に直接画像を印字するインクジェット方式等であっても構わない。プリント動作の起動は、装置内部のコントローラ（後述）からの指示によって開始する。プリンタ部２０には、異なる用紙サイズを選択できるように複数の給紙段を持ち、それに対応した給紙カセット１２２、１２４、１４２、１４４と手差し給紙トレイ１２０がある。また、画像形成された用紙は排紙トレイ１３２上に排出される。
【００１８】
図４は本形態の印刷装置の構成を説明する断面図である。図面を用いて動作の詳細を説明する。
【００１９】
１０１は原稿台ガラスであり、原稿自動送り装置１４２から給送された原稿が順次、所定位置に載置される。１０２は例えばハロゲンランプから構成される原稿照明ランプで、原稿台ガラス１０１に載置された原稿を露光する。１０３、１０４、１０５は走査ミラーであり、図示しない光学走査ユニットに収容され、往復動しながら、原稿からの反射光をＣＣＤユニット１０６に導く。ＣＣＤユニット１０６はＣＣＤに原稿からの反射光を結像させる結像レンズ１０７、例えばＣＣＤから構成される撮像素子１０８、撮像素子１０８を駆動するＣＣＤドライバ１０９等から構成されている。撮像素子１０８からの画像信号出力は例えば８ビットのデジタルデータに変換された後、コントローラ部１３９に入力される。また、１１０は感光ドラムであり、１１２の前露光ランプによって画像形成に備えて除電される。１１３は１次帯電器であり、感光ドラム１１０を一様に帯電させる。１１７は露光手段であり、例えば半導体レーザー等で構成され、画像形成や装置全体の制御を行うコントローラ部１３９で処理された画像データに基づいて感光ドラム１１０を露光し、静電潜像を形成する。１１８は現像器であり、黒色の現像剤（トナー）が収容されている。１１９は転写前帯電器であり、感光ドラム１１０上に現像されたトナー像を用紙に転写する前に高圧をかける。１２０、１２２、１２４、１４２、１４４は給紙カセットであり（１２０は手差し給紙トレイ）、各給紙ローラ１２１、１２３、１２５、１４３、１４５の駆動により、転写用紙が装置内へ給送され、レジストローラ１２６の配設位置で一旦停止し、感光ドラム１１０に形成された画像との書き出しタイミングがとられ再給送される。１２７は転写帯電器であり、感光ドラム１１０に現像されたトナー像を給送される転写用紙に転写する。１２８は分離帯電器であり、転写動作の終了した転写用紙を感光ドラム１１０より分離する。転写されずに感光ドラム１１０上に残ったトナーはクリーナー１１１によって回収される。１２９は搬送ベルトで、転写プロセスの終了した転写用紙を定着器１３０に搬送し、例えば熱により定着される。１３１はフラッパであり、定着プロセスの終了した転写用紙の搬送パスを、ソーター１３２または中間トレイ１３７の配置方向のいずれかに制御する。また、１３３〜１３６は給送ローラであり、一度定着プロセスの終了した転写用紙を中間トレイ１３７に反転（多重）または非反転（両面）して給送する。１３８は再給送ローラであり、中間トレイ１３７に載置された転写用紙を再度、レジストローラ１２６の配設位置まで搬送する。
【００２０】
１３９のコントローラ部には後述するマイクロコンピュータ、画像処理部等を備えており、マンマシンインターフェース装置１４０からの指示に従って、前述の画像形成動作を行う。
【００２１】
操作部１４０の構成を図５に示す。ＬＣＤ表示部１０３２は、ＬＣＤ上にタッチパネルシートが貼られており、システムの操作画面を表示するとともに、表示してあるキーが押されるとその位置情報をコントローラユニット３０に伝える。図６を用いて後述する。テンキー１０２８はコピー枚数など、数字の入力時に使用する。スタートキー１０２９は原稿画像の読み取り動作を開始する時などに用いる。ストップキー１０３０は稼働中の動作を止めるときに使用する。リセットキー１０３１は操作部からの設定を初期化する時に用いる。
【００２２】
また、１０２３はガイドキーであり、キーの機能が解らないとき押すとそのキーの説明が表示される。１０２４はコピーモードキーであり、複写を行うときに押す。１０２５はファクスキーであり、ファクスに関する設定を行うときに押す。１０２６はファイルキーであり、ファイルデータを出力したいときに押す。１０２７はプリンタキーであり、コンピュータ等の外部装置からのプリント出力に関する設定などを行なうときに使用する。
【００２３】
図６は、操作パネル１４０のＬＣＤ表示部に表示される基本画面である。
【００２４】
１００１は拡張機能キーであり、このキーを押すことによって両面複写、多重複写、移動、とじ代の設定、枠消しの設定等のモードに入る。１００２は画像モードキーであり、複写画像に対して網掛け、影付け、トリミング、マスキングを行うための設定モードに入る。１００３はユーザモードキーであり、モードメモリの登録、標準モード画面の設定がユーザごとに行える。１００４は応用ズームキーであり、原稿のＸ方向、Ｙ方向を独立に変倍するモード、原稿のサイズと複写サイズから変倍率を計算するズームプログラムのモードに入る。１００５、１００６、１００７はＭ１キー、Ｍ２キー、Ｍ３キーであり、それぞれのモードメモリを呼び出す際に押す。１００８はコールキーであり、前回設定されていた複写モードを呼び出す際に押す。１００９はオプションキーであり、フィルムから直接複写するためのフィルムプロジェクター等のオプション機能の設定を行う。１０１０はソーターキーであり、ソート出力、グループ出力等のモード設定を行う。１０１１は原稿混載キーであり、原稿フィーダにＡ４サイズとＡ３サイズ、またはＢ５サイズとＢ４サイズの原稿を一緒にセットする際に押す。１０１２は等倍キーであり、複写倍率を１００％にする際に押す。１０１４、１０１５はそれぞれ縮小キー、拡大キーであり、定形の縮小、拡大を行う際に押す。１０１６はズームキーであり、１％刻みで非定形の縮小、拡大を行う際に押す。１０１３は用紙選択キーであり、印刷用紙の選択を行う際に押す。１０１８、１０２０は濃度キーであり、１０１８を押すごとに濃く複写され、１０２０を押すごとに薄く複写される。１０１７は濃度表示であり、濃度キーを押すと表示が左右へ変化する。１０１９はＡＥキーであり、新聞のように地肌の濃い原稿を自動濃度調整複写するときに押す。１０２１はＨｉＦｉキーであり、写真原稿のように中間調の濃度が多い原稿の複写の際に押す。１０２２は文字強調キーであり、文字原稿の複写で文字を際立たせたい場合に押下する。
【００２５】
図７は印刷装置におけるスキャナ１０、プリンタ２０の構成を示すブロック図である。
【００２６】
７５１はスキャナ１０全体の制御を行なうＣＰＵであり、制御プログラムを記憶した読み取り専用メモリ７５３（ＲＯＭ）からプログラムを順次読み取り、実行する。ＣＰＵのアドレスバス、データバスはバスドライバ、アドレスデコーダ７５２からなる回路を介して各負荷に接続されている。また、コントローラユニット３０のＣＰＵと接続され、通信を行なう。
【００２７】
７５４は、入力データの記憶や作業用記憶領域等として用いる主記憶装置としてのランダムアクセスメモリ（ＲＡＭ）である。７５５はＩ／Ｏインターフェースであり、給紙系、搬送系、光学系の駆動を行なうモーター類７５６、ランプ類７５７、また、搬送される用紙を検知する紙検知センサ類７５８等の装置の各負荷に接続される。
【００２８】
また、ＣＣＤユニット１０６により読み込まれた画像データは、コントローラ３０に転送される。
【００２９】
次に、７０１はプリンタ２０の制御を行うＣＰＵであり、制御手順（制御プログラム）を記憶した読み取り専用メモリ７０３（ＲＯＭ）からプログラムを順次読み取り、実行する。ＣＰＵ７０１のアドレスバスおよびデータバスは７０２のバスドライバ回路、アドレスデコーダ回路をへて各負荷に接続されている。また、７０４は入力データの記憶や作業用記憶領域等として用いる主記憶装置であるところのランダムアクセスメモリ（ＲＡＭ）である。７０５はＩ／Ｏインターフェースであり、給紙系、搬送系、光学系の駆動を行うモーター類７０７、クラッチ類７０８、ソレノイド類７０９、また、搬送される用紙を検知するための紙検知センサ類７１０等の装置が各負荷に接続される。現像器１１８には現像器内のトナー量を検知する７１１のトナー残検センサが配置されており、その出力信号がＩ／Ｏポート７０５に入力される。７１５は高圧ユニットであり、ＣＰＵ７０１の指示に従って、前述の１次帯電器１１３、現像器１１８、転写前帯電器１１９、転写帯電器１２７、分離帯電器１２８へ高圧を出力する。
【００３０】
ＣＣＤユニット１０６から出力された画像信号はコントローラユニット３０により、後述する画像処理を行い、画像データに従って１１７のレーザーユニットの制御信号を出力する。レーザーユニット１１７から出力されるレーザー光は感光ドラム１１０を照射し、露光するとともに非画像領域において受光センサであるところの７１３のビーム検知センサによって発光状態が検知され、その出力信号がＩ／Ｏポート７０５に入力される。
【００３１】
また７１８，７１９，７２０，７２１，７２２は各給紙カセット及び手差し給紙トレイ用のＲＦ−ＩＤリーダーであり、各給紙カセット１２２，１２４，１４２，１４４及び手差し給紙トレイ１２０にセットされた用紙に埋め込まれているＲＦ−ＩＤチップと通信し、そこに格納されている情報を読み出す。
【００３２】
コントローラユニットの構成図を図８に示す。コントローラユニット３０は画像入力デバイスであるスキャナ１０や画像出力デバイスであるプリンタ２０と接続し、一方ではＬＡＮ２０１１や公衆回線（ＷＡＮ）２０５１接続することで、画像情報やデバイス情報の入出力を行う為のコントローラである。ＣＰＵ２００１はシステム全体を制御するコントローラである。ＲＡＭ２００２はＣＰＵ２００２が動作するためのシステムワークメモリであり、画像データを一時記憶するための画像メモリでもある。ＲＯＭ２００３はブートＲＯＭであり、システムのブートプログラムが格納されている。ＨＤＤ２００４はハードディスクドライブで、システムソフトウェア、画像データ、などを格納する。操作部Ｉ／Ｆ２００６は操作部（ＵＩ）１４０とのインターフェース部で、操作部１４０に表示する画像データを操作部１４０に対して出力する。また、操作部１４０から本システム使用者が入力した情報を、ＣＰＵ２００１に伝える役割をする。ＮＩＣ２０１０はＬＡＮ２０１１に接続し、情報の入出力を行う。Ｍｏｄｅｍ２０５０は公衆回線２０５１に接続し、情報の入出力を行う。スキャナ、プリンタ通信Ｉ／Ｆ２００９はスキャナ１０、プリンタ２０のＣＰＵとそれぞれ通信を行なうためのＩ／Ｆである。以上のデバイスがシステムバス２００７上に配置される。
【００３３】
Ｉｍａｇｅ  Ｂｕｓ  Ｉ／Ｆ２００５はシステムバス２００７と画像データを高速で転送する画像バス２００８を接続し、データ構造を変換するバスブリッジである。画像バス２００８は、ＰＣＩバスまたはＩＥＥＥ１３９４で構成される。画像バス２００８上には以下のデバイスが配置される。ラスターイメージプロセッサ（ＲＩＰ）２０６０はＰＤＬコードをビットマップイメージに展開する。デバイスＩ／Ｆ部２０２０は、画像入出力デバイスであるスキャナ１０やプリンタ２０とコントローラ３０を接続し、画像データの同期系／非同期系の変換を行う。スキャナ画像処理部２０８０は、入力画像データに対し補正、加工、編集を行う。プリンタ画像処理部は、プリント出力画像データに対して、プリンタの補正、解像度変換等を行う。画像回転部２０３０は画像データの回転を行う。画像圧縮部２０４０は、多値画像データはＪＰＥＧ、２値画像画像データはＪＢＩＧ、ＭＭＲ、ＭＨの圧縮伸張処理を行う。
【００３４】
図９はＲＦ−ＩＤチップ７００２が埋め込まれた印刷用紙７００１を表したものであり、ＲＦ−ＩＤチップ７００２には例えば図１０に示すような用紙の種類やサイズ情報を格納したＩＤコードが格納されている。
【００３５】
図１は本形態の特徴であるカラーページと白黒ページの印刷用紙を適切に選択して印刷を行う印刷装置２２０動作を表すフローチャートであり、この図を参照して印刷装置２２０の動作・機能を説明する。
【００３６】
印刷装置２２０は電源投入後もしくは給紙カセット装着後に、ＲＦ−ＩＤリーダー７１８によって給紙カセット１２２にセットされた用紙に埋め込まれたＲＦ−ＩＤチップ７００２をアクセスし用紙情報が格納されているＩＤコードを読み出す（Ｓ３０１）。
【００３７】
読み出したＩＤコードに従い、給紙カセット１２２にセットされた用紙タイプをコントローラユニット３０のＲＡＭ２００２に登録する（Ｓ３０２）。
【００３８】
以下同様に他の給紙カセット１２４，１４２，１４４および手差し給紙トレイ１２０についても各ＲＦ−ＩＤリーダーによってＩＤコードを読み出し、セットされている用紙タイプの自動登録を行う（３０４〜３１０）。
【００３９】
全ての給紙カセットおよび手差し給紙トレイの登録が終了したら、その登録状態から普通紙もしくは再生紙の用紙がセットされているかを判別する（Ｓ３１１）。
【００４０】
普通紙もしくは再生紙の用紙がセットされていない場合は、全ページカラー専用紙で印刷を行う（Ｓ３１２）。
【００４１】
普通紙もしくは再生紙の用紙がセットされている場合は、ユーザが複写する原稿をスキャナ１０にセットしたときに、ＬＣＤ表示部１０３２に図１１に示すような「白黒印刷用紙選択設定」画面を表示し、ユーザに選択を促す（Ｓ３１３）。なお図１１では、カラー専用紙のほかに、普通紙と再生紙がセットされていた場合を示しており、例えば再生紙がセットされていない場合は、図１２に示すように再生紙は選択できないようになっている。
【００４２】
前記「白黒印刷用紙選択設定」に従い（Ｓ３１４）、カラー専用紙が指定された場合は、白黒ページもカラー専用紙に印刷し（Ｓ３１２）、普通紙が指定された場合は、カラーページはカラー専用紙に印刷し白黒ページは普通紙に印刷する（Ｓ３１５）。また、再生紙が指定された場合は、カラーページはカラー専用紙に印刷し白黒ページは再生紙に印刷する（Ｓ３１６）。
【００４３】
このように各給紙カセットおよび手差し給紙トレイにセットされている用紙のタイプが自動的に判別でき、白黒ページの印刷する用紙を任意に選択することが可能となる。
【００４４】
［第２実施形態］
上記第１実施形態では、原稿の複写（コピー）について説明したが、パソコン等からプリントする場合を説明する。基本的な動作フローは図１と同様であるが、Ｓ３１３の「ＬＣＤ表示部１０３２に図１１に示すような「白黒印刷用紙選択設定」画面を表示し、ユーザに選択を促す」代わりに、図１３に示すパソコン上で動作するプリンタドライバで設定する。図１３において原稿を印刷する印刷装置をプリンタ選択部６０２で選択し、プロパティボタン６０７をクリックすると、図１４に示すようなプロパティ画面が表示される。この中で印刷用紙タイプタグ６１２をクリックすると、白黒ページの印刷用紙指定画面が表示される。ここでユーザは任意のボタンを選択しＯＫボタン６１３をクリックすることで設定が終了する。なお、印刷装置の給紙カセットにセットされていない用紙は選択できないようになっている。
【００４５】
このようにパソコン等からプリントする場合も白黒ページの印刷する用紙を任意に選択することが可能となる。
【００４６】
［第３実施形態］
上記第１および第２の実施形態では、ＩＤコードを読み出して用紙タイプの登録を行ったがＲＦ−ＩＤチップとＲＦ−ＩＤリーダー間の通信は無線で行われるため、無線が混信した場合や用紙にＲＦ−ＩＤチップが埋め込まれていない場合などでは正しいＩＤコードが読み出されないなどの問題が想定されるため、第３の実施例ではそれらの問題を考慮したものである。
【００４７】
図１５は第３実施形態の印刷装置２２０動作を表すフローチャートであり、順を追って説明する。
【００４８】
印刷装置２２０は電源投入後もしくは給紙カセット装着後に、ＲＦ−ＩＤリーダー７１８によって給紙カセット１２２にセットされた用紙に埋め込まれたＲＦ−ＩＤチップ７００２からＩＤコードを読み出す（Ｓ４０１）。
【００４９】
ＩＤコードの読み出しが成功したならば、セット競れている用紙のタイプをコントローラユニット３０のＲＡＭ２００２に登録する（Ｓ４０２）。
【００５０】
ＩＤコードの読み出しが成功しなかった場合は、用紙タイプは不明として登録する。
【００５１】
以下同様に他の給紙カセット１２４，１４２，１４４および手差し給紙トレイ１２０についてセットされている用紙のタイプの登録を行う（４０３〜４０６）。
【００５２】
全ての給紙カセットおよび手差し給紙トレイの登録が終了したら、図１６に示すような「給紙カセット登録確認」画面を表示する。なお図１６では、給紙カセットＣが不明の場合の例を示してある。
【００５３】
給紙カセット登録内容に変更がある場合は図１６の変更ボタン３００３、不明カセットの新規登録を行う場合は登録ボタン３００４をユーザがタッチすると、図１７図１８に示す「給紙カセット登録」画面が表示され、変更および登録が可能である（Ｓ４０９）。なお図１７では、用紙サイズを選択し、図１８では用紙タイプを選択することが出来る。
【００５４】
変更および不明カセットの登録がない場合は図１６の「給紙カセット登録確認」画面においてＯＫボタン３００５をタッチすることで次のステップに進む。
【００５５】
Ｓ４１０以降のステップは第１の実施例のＳ３１１以降と同一なので説明は割愛する。
【００５６】
このように「給紙カセット登録確認」画面を表示し、ユーザに用紙サイズ／用紙タイプの確認を促すことで、正しいＩＤコードの読み出しに失敗したような場合でも白黒ページの印刷する用紙を任意に選択することが可能となる。
【００５７】
以上説明したように、本形態によれば、カラーページと白黒ページが混載した原稿をコピーもしくはプリントする場合、印刷装置が各給紙カセットや手差し給紙トレイにセットされた用紙タイプを自動的に認識することで、容易に白黒ページをユーザが指定した安価な普通紙や再生紙に印刷することが可能となる効果を奏する。
【図面の簡単な説明】
【００５８】
【図１】本発明の印刷装置の動作を表すフローチャートである。
【図２】本発明の印刷装置を含むネットワークシステムを示す図である。
【図３】本発明の印刷装置の外観を示すである。
【図４】印刷装置の全体構成を示す断面図である。
【図５】操作部を示す図である。
【図６】ＬＣＤ表示を示す図である。
【図７】印刷装置におけるスキャナ１０、プリンタ２０の構成を示すブロック図である。
【図８】コントローラユニットの構成を示す図である。
【図９】ＲＦ−ＩＤチップが埋め込まれた印刷用紙を示す図である。
【図１０】ＲＦ−ＩＤチップに格納されたＩＤコードの構成の一例を示す図である。
【図１１】ＬＣＤ表示部に表示される「白黒印刷用紙選択設定」画面を示す図である。
【図１２】再生紙がセットされていないときのＬＣＤ表示部に表示される「白黒印刷用紙選択設定」画面を示す図である。
【図１３】パソコン上に表示される印刷設定表示を示す図である。
【図１４】パソコン上に表示されるプリンタプロパティ表示を示す図である。
【図１５】第３の実施例における印刷装置の動作を表すフローチャートである。
【図１６】ＬＣＤ表示部に表示される「給紙カセット登録確認」画面を示す図である。
【図１７】ＬＣＤ表示部に表示される「給紙カセット登録：用紙サイズの選択」画面を示す図である。
【図１８】ＬＣＤ表示部に表示される「給紙カセット登録：用紙タイプの選択」画面を示す図である。
【符号の説明】
【００５９】
２２０  印刷装置
１２２，１２４，１４２，１４４  給紙カセット
１２０  手差し給紙トレイ
１４０  操作部
７１８，７１９，７２０，７２１，７２２  ＲＦ−ＩＤリーダー
７００２  ＲＦ−ＩＤチップ
【図１】
2006110942.tif 000003
【図２】
2006110942.tif 000004
【図３】
2006110942.tif 000005
【図４】
2006110942.tif 000006
【図５】
2006110942.tif 000007
【図６】
2006110942.tif 000008
【図７】
2006110942.tif 000009
【図８】
2006110942.tif 000010
【図９】
2006110942.tif 000011
【図１０】
2006110942.tif 000012
【図１１】
2006110942.tif 000013
【図１２】
2006110942.tif 000014
【図１３】
2006110942.tif 000015
【図１４】
2006110942.tif 000016
【図１５】
2006110942.tif 000017
【図１６】
2006110942.tif 000018
【図１７】
2006110942.tif 000019
【図１８】
2006110942.tif 000020